(57)【要約】      （修正有）【課題】同一エリアに並べられた状態の複数の手術器具類に対して、対応する接続機器を確実かつ容易に接続する。【解決手段】ハンドピースは、装置本体１からの無線データを受信する無線受信部２５と、無線受信部２５が受信した無線データを信号処理データ形式の受信データに変換する受信回路２６と、ハンドピースに適合する装置本体１のＩＤデータを格納しているメモリ２８と、受信回路２６からの受信データとメモリ２８からのＩＤデータとを照合する照合部２７と、照合部２７の照合結果に基づき告知手段としてのＬＥＤ２４を点灯させる制御回路２９とからなる内部回路２０が設けられている。【選択図】図３
2006255192.tif 000002
【特許請求の範囲】
【請求項１】
他の医療機器を接続して使用される第１の医療機器と、
他の医療機器を接続して使用される第２の医療機器と、
前記第１の医療機器に固有の情報を無線通信するために前記第１の医療機器に設けられた第１の無線通信手段と、
前記第１の医療機器に固有の情報を前記第１の無線通信手段との間で無線通信する前記第２の医療機器に設けられた第２の無線通信手段と、
前記第２の医療機器に設けられ、前記第２の医療機器に接続可能な他の医療器機に固有の情報をあらかじめ記憶した記憶手段と、
前記第１及び第２の無線通信手段との間で通信された前記第１の医療機器に固有の情報と前記憶手段が記憶した他の医療機器に固有の情報とを照合する照合手段と、
前記照合手段による照合結果に応じて、この照合結果を告知する告知手段と
を備えたことを特徴とする医療システム。
【請求項２】
前記照合手段は、前記第１及び第２の無線通信手段との間で通信された前記第１の医療機器に固有の情報と前記記憶手段が記憶した他の医療機器に固有の情報とが一致している場合に、前記告知手段を駆動させる
ことを特徴とする請求項１に記載の医療システム。
【請求項３】
前記第１の無線通信手段は、前記第１の医療機器に固有の情報を無線送信する無線送信手段であり、また前記第２の無線送信通信手段は、前記無線送信手段から無線送信された前記第１の医療機器に固有の情報を受信する無線受信手段である
ことを特徴とする請求項１又は２に記載の医療システム。
【発明の詳細な説明】
【技術分野】
【０００１】
本発明は、複数の医療機器により生体を観察したり治療等する医療システムに関する。
【背景技術】
【０００２】
従来から生体の観察や治療等といった医療行為を行う場合、その目的によって、様々な医療装置が使用される。例えば、内視鏡を用いた手術の一例としては、腹腔鏡下胆嚢摘出術（laparoscopic cholecystectomy）が知られている。
【０００３】
近年、医療機器の種類は多岐に渡り、またそれら複数の医療機器が同一エリアに並べられるということが多くなってきた。
【０００４】
医療機器には光や電気信号やエネルギーなどを生成し、生体とは離れた位置に配置される筺体と、前記筺体に接続し、生体に対して観察や検査や処置の少なくとも１つに用いられるハンドピースとからなるものがある。
【０００５】
これらは、別々に用意され、使用現場において手術開始前に接続されることが多い。このとき、いざハンドピースを接続しようとすると、接続対象の筺体が複数あるため、どの筺体に接続したら良いかが判り難いという課題があった。
【０００６】
逆に、いざ筺体へ接続しようとすると、接続対象のハンドピースが複数あるため、どのハンドピースを接続したら良いかが判り難いという課題があった。、
上記より、手術開始前の準備に時間がかかってしまうという課題があった。
【０００７】
そこで、例えば特開平６−２９６５８９号公報には、接続容易化と省スペース化を図るために、複数の筺体の接続ケーブルを１つにまとめ、ハンドピースの接続部を１箇所に集めた接続機器（コネクターユニット）を設置した医療システムが提案されている。
【０００８】
これに対して、例えば特開２００１−０９５７６３号公報では、特開平６−２９６５８９号公報において複数の接続部が１箇所に集まることによる接続部識別の困難化解消のために、接続機器に報知手段を設け、さらに前記接続機器とハンドピースとの間に認識手段を設け、認識したハンドピースに対応する接続部を報知するようにした医療システムが提案されている。
【特許文献１】特開平６−２９６５８９号公報
【特許文献２】特開２００１−０９５７６３号公報
【発明の開示】
【発明が解決しようとする課題】
【０００９】
しかしながら、上記特開２００１−０９５７６３号公報の医療システムでは、以下の課題がある。すなわち、
１）前記接続機器を新たに準備する必要があり、そのためのスペースも確保する必要がある
２）前記接続機器はさまざまな医療機器に対応する必要が生じ各手術症例によっては使用しない接続ポートが多数並ぶことによって、逆に判別しにくく、占有スペースも大きくなる
３）ある接続部に、複数のハンドピースの中から対応するもの１つを探し出して接続する場合は、それら複数のハンドピースを１つずつ認識させて探していく必要がある
等の問題がある。
【００１０】
本発明は、上記事情に鑑みてなされたものであり、同一エリアに並べられた状態の複数の手術器具類に対して、対応する接続機器を確実かつ容易に接続することのできる医療システムを提供することを目的としている。
【課題を解決するための手段】
【００１１】
本発明の医療システムは、
他の医療機器を接続して使用される第１の医療機器と、
他の医療機器を接続して使用される第２の医療機器と、
前記第１の医療機器に固有の情報を無線通信するために前記第１の医療機器に設けられた第１の無線通信手段と、
前記第１の医療機器に固有の情報を前記第１の無線通信手段との間で無線通信する前記第２の医療機器に設けられた第２の無線通信手段と、
前記第２の医療機器に設けられ、前記第２の医療機器に接続可能な他の医療器機に固有の情報をあらかじめ記憶した記憶手段と、
前記第１及び第２の無線通信手段との間で通信された前記第１の医療機器に固有の情報と前記憶手段が記憶した他の医療機器に固有の情報とを照合する照合手段と、
前記照合手段による照合結果に応じて、この照合結果を告知する告知手段と
を備えて構成される。
【発明の効果】
【００１２】
本発明によれば、同一エリアに並べられた状態の複数の手術器具類に対して、対応する接続機器を確実かつ容易に接続することができるという効果がある。
【発明を実施するための最良の形態】
【００１３】
以下、図面を参照しながら本発明の実施例について述べる。
【実施例１】
【００１４】
図１ないし図７は本発明の実施例１に係わり、図１は医療システムを構成する装置本体の外観を示す図、図２は図１の装置本体に接続可能なハンドピースの外観を示す図、図３は図１の装置本体及び図２のハンドピースの構成を示すブロック図、図４は図２のハンドピースのコネクタ部の構成を示すブロック図、図５は図３の装置本体の制御回路の処理の流れを示すフローチャート、図６は図３のハンドピースの制御回路の処理の流れを示すフローチャート、図７は図４のコネクタ部の作用を説明するフローチャートである。
【００１５】
本実施例の医療システムは、図１及び図２に示すように、第１及び第２の医療機器として、生体とは離れた位置に配置される装置本体１（図１）と、生体に対して観察や検査や処置の少なくとも１つに用いられる装置本体１に接続されるハンドピース２（図２）とからなる。
【００１６】
装置本体１は、光エネルギーや電気エネルギー等の処置エネルギーを発生し、それらをハンドピース２へ伝達し、ハンドピース２から該処置エネルギーを帰還させる。
【００１７】
ハンドピース２には、装置本体１とハンドピース本体２１とをつなぐためのケーブル２２が延出され、ケーブル２２の、ハンドピース本体２１との反対側の端部には、装置本体１のコネクタ受け１１へ接続するためのコネクタ部２３が設けられている。
【００１８】
なお、これら装置本体１とハンドピース２は、別々に用意され、使用現場において手術開始前に接続されることが多い。
【００１９】
図３に示すように、装置本体１は、無線送信手段としての電波等による無線データを送信する無線送信部１３と、装置本体１を識別する固有の情報としてのＩＤデータを格納しているメモリ１５と、ＩＤデータの無線送信部１３からの送信を指示するＩＤ送信スイッチ１２と、ＩＤ送信スイッチ１２からの送信指示の基づきメモリ１５からＩＤデータを読み出す制御回路１４と、制御回路１４から出力されるＩＤデータを無線送信用データ形式に変換し無線送信部１３よりＩＤデータを無線データとして送信させる送信回路１６とを備えて構成される。
【００２０】
なお、無線送信手段としては、赤外線通信、無線ＬＡＮ、ＷＡＮ、Ｂｕｌｕｅｔｏｏｔｈなどの無線通信手段を用いても良い。
【００２１】
また、ハンドピース２のコネクタ部２３には、無線受信手段としての電波等により無線データを受信する無線受信部２５と、無線受信部２５が受信した無線データを信号処理データ形式の受信データに変換する受信回路２６と、ハンドピース２に適合する装置本体１のＩＤデータを格納している記憶手段としてのメモリ２８と、受信回路２６からの受信データとメモリ２８からのＩＤデータとを照合する照合部２７と、照合部２７の照合結果に基づき告知手段としてのＬＥＤ２４を点灯させる制御回路２９とからなる内部回路２０が設けられている。ここで、ＬＥＤ２４は、コネクタ部２３の外周面に設けられている（図２参照）。
【００２２】
なお、無線受信手段としては、赤外線通信、無線ＬＡＮ、ＷＡＮ、Ｂｕｌｕｅｔｏｏｔｈなどの無線通信手段を用いても良い。また、告知手段としては、ＬＥＤなどの発光素子に限らず、スピーカ等の発音体でもよい。
【００２３】
装置本体１とハンドピース２が無線通信を行っているときは、ハンドピース２はどこへも接続されていないため、外部からの電力供給がない。
【００２４】
そこで、図４に示すように、コネクタ部２３には、無線通信時に内部回路２０に電力供給を行う電源部３０が設けられている。電源部３０はコンデンサＣと電源スイッチ３２等より構成され、コネクタ部２３を装置本体１へ接続すると、装置本体１内の直流電源３１がコンデンサＣへつながり、充電されるようになっている。また、コネクタ部２３を装置本体１へ接続すると、電源スイッチ３２がＯＦＦとなる構成となっており、内部回路２０における消費電力を節約するようになっている。
【００２５】
なお、電源部２０は、蓄電用のコンデンサＣ以外に、電池内蔵式やコイルによる電磁発電式としてもよい。
【００２６】
このように構成された本実施例の作用について説明する。
【００２７】
図５に示すように、装置本体１の制御回路１４は、ステップＳ１にてハンドピース２のコネクタ部２３の接続状態を判別し、コネクタ未接続の場合は、ステップＳ２にてＩＤ送信スイッチ１２のオン操作を待つ。ステップＳ２でＩＤ送信スイッチ１２が押下されオン状態と判断すると、ステップＳ３にてメモリ１５より装置本体１のＩＤデータを読み出し、該ＩＤデータを送信回路１６にセットする。
【００２８】
そして、制御回路１４は、ステップＳ４にて送信回路１６を制御しＩＤデータを無線データとして無線送信部１３より送信する。
【００２９】
次に、制御回路１４は、ステップＳ５にてＩＤ送信スイッチ１２がオフ状態か判断か判断し、ＩＤ送信スイッチ１２がオン状態が続いている間、ステップＳ４及びステップＳ５を繰り返し、ＩＤ送信スイッチ１２がオフ状態となると、ステップＳ６にて送信回路１６を制御しＩＤデータの無線送信を停止し処理を終了する。
【００３０】
なお、ステップＳ１でコネクタ接続と判断すると、ＩＤ送信スイッチ１２を無効として処理を終了する。
【００３１】
一方、図６に示すように、ハンドピース２（コネクタ部２３）の制御回路２９は、ステップＳ１１にて装置本体１に接続されているかどうかを判断し、装置本体１に接続されていないと判断すると、ステップＳ１２にて受信回路２６より無線受信部２５を介して装置本体１から無線データとしてＩＤデータの受信を待つ。
【００３２】
そして、ＩＤデータを受信すると、ステップＳ１３にてメモリ２８に格納されているＩＤデータを読み出し受信データがハンドピース２に適合する装置本体１のＩＤデータかどうか判断し、適合する装置本体１のＩＤデータならば、ステップＳ１４にてＬＥＤ２４を点灯させ、適合する装置本体１のＩＤデータでないと判断すると処理を終了する。
【００３３】
次に、ステップＳ１５にて受信回路２６からのＩＤデータの受信が完了するまで、ステップＳ１３〜Ｓ１５を繰り返し、ＩＤデータの受信が完了すると、ステップＳ１６にてＬＥＤ２４を消灯し処理を終了する。
【００３４】
なお、ステップＳ１１にて装置本体１に接続されていると判断すると、ステップＳ１７にて制御回路２９は内部回路２０全体の動作をオフさせて処理を終了する。
【００３５】
次に、装置本体１とハンドピース２のコネクタ部２３との接続状態における、コネクタ部２３内の電源部３０及び内部回路２０の動作について説明する。
【００３６】
図７に示すように、ステップＳ２１にてコネクタ部２３が装置本体１に接続されると、ステップＳ２２にて電源部３０ではコンデンサＣへの充電を開始と同時に、ステップＳ２３にて内部回路２０の電源スイッチ３２がオフされる。
【００３７】
そして、ステップＳ２４にてコネクタ部２３が装置本体１から抜き去られると、ステップＳ２５にて電源部３０ではコンデンサＣへの充電が停止されると同時に、ステップＳ２６にて内部回路２０の電源スイッチ３２がオンされる。
【００３８】
このように本実施例によれば、複数の医療機器が同一エリアに並べられた状態において、どの装置本体にどのハンドピースを接続したらよいかを迷うことなく識別することができ、同一エリアに並べられた状態の複数の手術器具類に対して、対応する接続機器を確実かつの容易に接続することができる。
【００３９】
この結果、ハンドピース接続の手間減少、手術開始前の時間短縮、病院での手術回転率向上等を図ることが可能となる。
【実施例２】
【００４０】
図８ないし図１２は本発明の実施例２に係わり、図８は医療システムを構成する装置本体の外観を示す図、図９は図８の装置本体に接続可能なハンドピースの外観を示す図、図１０は図８の装置本体及び図９のハンドピースの構成を示すブロック図、図１１は図１０の装置本体の制御回路の処理の流れを示すフローチャート、図１２は図１０のハンドピースの制御回路の処理の流れを示すフローチャートである。
【００４１】
実施例２は、実施例１とほとんど同じであるので、異なる点のみ説明し、同一の構成には同じ符号をつけ説明は省略する。
【００４２】
図８及び図９に示すように、本実施例では、ＬＥＤ２４が装置本体１に設けられ（図８参照）、ＩＤ送信スイッチ１２がハンドピース２のコネクタ部２３に設けられている（図９参照）
詳細には、図１０に示すように、ハンドピース２のコネクタ部２３には、無線送信手段としての電波等による無線データを送信する無線送信部１３と、ハンドピース２に適合する装置本体１のＩＤデータ格納しているメモリ２８と、ＩＤデータの無線送信部１３からの送信を指示するＩＤ送信スイッチ１２と、ＩＤ送信スイッチ１２からの送信指示の基づきメモリ２８から適合する装置本体１のＩＤデータを読み出す制御回路２９と、制御回路２９から出力される適合する装置本体１のＩＤデータを無線送信用データ形式に変換し無線送信部１３より適合する装置本体１のＩＤデータを無線データとして送信させる送信回路１６とからなる内部回路２０が設けられている。
【００４３】
また、装置本体１は、無線受信手段としての電波等により無線データを受信する無線受信部２５と、無線受信部２５が受信した無線データを信号処理データ形式の受信データに変換する受信回路２６と、装置本体１を識別するＩＤデータを格納しているメモリ１５と、受信回路２６からの受信データとメモリ１５からのＩＤデータとを照合する照合部２７と、照合部２７の照合結果に基づき告知手段としてのＬＥＤ２４を点灯させる制御回路１４とを備えて構成される。
【００４４】
このように構成された本実施例の作用について説明する。
【００４５】
図１１に示すように、装置本体１の制御回路１４は、ステップＳ３１にてハンドピース２のコネクタ部２３の接続状態を判別し、コネクタ未接続の場合は、ステップＳ３２にて受信回路２６より無線受信部２５を介してハンドピース２から無線データとしてＩＤデータの受信を待つ。
【００４６】
そして、ＩＤデータを受信すると、ステップＳ３３にてメモリ２８に格納されているＩＤデータを読み出し受信データの中に装置本体１のＩＤデータがあるかどうか判断し、適合したハンドピース２のＩＤデータがあるならば、ステップＳ３４にてＬＥＤ２４を点灯させ、装置本体１のＩＤデータがないと判断すると処理を終了する。
【００４７】
次に、ステップＳ３５にて受信回路２６からのＩＤデータの受信が完了するまで、ステップＳ３３〜Ｓ３５を繰り返し、ＩＤデータの受信が完了すると、ステップＳ３６にてＬＥＤ２４を消灯し処理を終了する。
【００４８】
なお、ステップＳ３１にてハンドピース２のコネクタ部２３が接続されていると判断すると、ステップＳ３７にて制御回路１４は受信回路２６、メモリ２８、照合部２７からなるＩＤ受信部の機能を停止し処理を終了する。
【００４９】
一方、図１２に示すように、ハンドピース２（コネクタ部２３）の制御回路２９は、ステップＳ４１にて装置本体１に接続されているかどうかを判断し、装置本体１に接続されていないと判断すると、ステップＳ４２にてＩＤ送信スイッチ１２のオン操作を待つ。ステップＳ４２でＩＤ送信スイッチ１２が押下されオン状態と判断すると、ステップＳ４３にてメモリ１５よりハンドピース２に適合する装置本体１のＩＤデータを読み出し、該ＩＤデータを送信回路１６にセットする。
【００５０】
そして、制御回路２９は、ステップＳ４４にて送信回路１６を制御しＩＤデータを無線データとして無線送信部１３より送信する。
【００５１】
次に、制御回路２９は、ステップＳ４５にてＩＤ送信スイッチ１２がオフ状態か判断か判断し、ＩＤ送信スイッチ１２がオン状態が続いている間、ステップＳ４４及びステップＳ４５を繰り返し、ＩＤ送信スイッチ１２がオフ状態となると、ステップＳ４６にて送信回路１６を制御しＩＤデータの無線送信を停止し処理を終了する。
【００５２】
なお、ステップＳ４１にて装置本体１に接続されていると判断すると、ステップＳ４７にて制御回路２９は内部回路２０全体の動作をオフさせて処理を終了する。
【００５３】
従って実施例２においても、実施例１と同様な効果を得ることができる。
【実施例３】
【００５４】
図１３ないし図１６は本発明の実施例３に係わり、図１３は医療システムを構成する装置設置カートの外観を示す図、図１４は図１３の装置設置カートの構成を示すブロック図、図１５は図１４の装置設置カートの制御回路の作用を説明する第１のフローチャート、図１６は図１４の装置設置カートの制御回路の作用を説明する第２のフローチャートである。
【００５５】
実施例３は、実施例１とほとんど同じであるので、異なる点のみ説明し、同一の構成には同じ符号をつけ説明は省略する。
【００５６】
本実施例は、図１３に示すように、複数、例えば４つの本体装置１ａ〜１ｄが設置可能な設置棚１００Ａ〜１００Ｄを有する装置設置カート１００と、本体装置１に接続されるハンドピース２からなる医療システムの例であって、設置棚１００Ａ〜１００Ｄの近傍には、本体装置１ａ〜１ｄが設置棚１００Ａ〜１００Ｄに設置された際に用いる４つのＩＤ送信スイッチ１２Ａ〜１２Ｄが設けられている。
【００５７】
図１４に示すように、設置棚１００Ａ〜１００Ｄに設置可能な本体装置１ａ〜１ｄは同じ構成をなし、設置棚１００Ｉ（Ｉ＝Ａ〜Ｄ）に設置される本体装置１ｉ（ｉ＝ａ〜ｄ）は本体装置１ｉを識別するＩＤデータを格納しているメモリ１５と、装置設置カート１００のカート制御部１００１とデータを送受する通信回路１３０と、メモリ１５からのＩＤデータの読み出し制御及び通信回路１３０における通信制御を行う制御回路１４とを備えて構成される。
【００５８】
装置設置カート１００のカート制御部１００１は、本体装置１ｉ（ｉ＝ａ〜ｄ）の通信回路１３０とデータを送受する通信回路１５０と、通信回路１５０を介して本体装置１ｉ（ｉ＝ａ〜ｄ）を識別するＩＤデータを抽出しメモリ１５２にＩＤデータを格納する書込み部１５１と、無線送信手段としての電波等による無線データを送信する無線送信部１３と、ＩＤデータの無線送信部１３からの送信を指示するＩＤ送信スイッチ１２Ａ〜１２Ｄと、ＩＤ送信スイッチ１２Ａ〜１２Ｄからの送信指示の基づきメモリ１５２からＩＤデータを読み出し制御回路１５３と、制御回路１５３から出力されるＩＤデータを無線送信用データ形式に変換し無線送信部１３よりＩＤデータを無線データとして送信させる送信回路１６とを備えて構成される。
【００５９】
なお、ハンドピース２の構成は実施例１と同じである（図２及び図３参照）。
【００６０】
このように構成された本実施例の作用について図１５及び図１６を用いて説明する。
【００６１】
まず、図１５に示すように、カート制御部１００１の制御回路１５３は、ステップＳ５１にて設置棚１００Ｉ（Ｉ＝Ａ〜Ｄ）に本体装置１ｉ（ｉ＝ａ〜ｄ）が設置／接続されているか判断し、本体装置１ｉ（ｉ＝ａ〜ｄ）が設置／接続されていると判断すると、ステップＳ５２にて本体装置１ｉ（ｉ＝ａ〜ｄ）の制御回路１４に対してメモリ１５に格納されているＩＤデータを要求する。
【００６２】
そして、ステップＳ５３にて本体装置１ｉ（ｉ＝ａ〜ｄ）の制御回路１４からのＩＤデータの受信を待ち、ＩＤデータを受信すると、ステップＳ５４にて受信したＩＤデータをメモリ１５２に格納し、ステップＳ５５にてＩＤ送信スイッチ１２Ｉ（Ｉ＝Ａ〜Ｄ）を有効とする。なお、ステップＳ５１にて設置棚１００Ｉ（Ｉ＝Ａ〜Ｄ）に本体装置１ｉ（ｉ＝ａ〜ｄ）が設置／接続されていないと判断すると、ステップＳ５６にてＩＤ送信スイッチ１２Ｉ（Ｉ＝Ａ〜Ｄ）を無効とする。
【００６３】
次に、図１６に示すように、カート制御部１００１の制御回路１５３は、ステップＳ６１にてＩＤ送信スイッチ１２Ｉ（Ｉ＝Ａ〜Ｄ）が有効かどうか判断し、ＩＤ送信スイッチ１２Ｉ（Ｉ＝Ａ〜Ｄ）が有効ならば、ステップＳ６２にてＩＤ送信スイッチ１２Ｉ（Ｉ＝Ａ〜Ｄ）のオン操作を待ち、ＩＤ送信スイッチ１２Ｉ（Ｉ＝Ａ〜Ｄ）が無効ならば処理を終了する。
【００６４】
ＩＤ送信スイッチ１２Ｉ（Ｉ＝Ａ〜Ｄ）が有効でＩＤ送信スイッチ１２Ｉ（Ｉ＝Ａ〜Ｄ）がオン操作されると、ステップＳ６３にてメモリ１５２より本体装置１ｉ（ｉ＝ａ〜ｄ）のＩＤデータを読み出し、該ＩＤデータを送信回路１６にセットする。
【００６５】
そして、制御回路１５３は、ステップＳ６４にて送信回路１６を制御しＩＤデータを無線データとして無線送信部１３より送信する。
【００６６】
次に、制御回路１５３は、ステップＳ５にてＩＤ送信スイッチ１２Ｉ（Ｉ＝Ａ〜Ｄ）がオフ状態か判断か判断し、ＩＤ送信スイッチ１２Ｉ（Ｉ＝Ａ〜Ｄ）がオン状態が続いている間、ステップＳ６４及びステップＳ６５を繰り返し、ＩＤ送信スイッチ１２Ｉ（Ｉ＝Ａ〜Ｄ）がオフ状態となると、ステップＳ６６にて送信回路１６を制御しＩＤデータの無線送信を停止し処理を終了する。
【００６７】
ハンドピース２の作用は実施例１と同じであり、実施例３においても、実施例１と同様な効果を得ることができる。
【実施例４】
【００６８】
図１７ないし図２０は本発明の実施例４に係わり、図１７は医療システムを構成する装置設置カートの外観を示す図、図１８は図１７の装置設置カートの構成を示すブロック図、図１９は図１８の装置設置カートの制御回路の作用を説明する第１のフローチャート、図２０は図１８の装置設置カートの制御回路の作用を説明する第２のフローチャートである。
【００６９】
実施例４は、実施例３とほとんど同じであるので、異なる点のみ説明し、同一の構成には同じ符号をつけ説明は省略する。
【００７０】
本実施例では、図１７に示すように、設置棚１００Ａ〜１００Ｄの近傍には、本体装置１ａ〜１ｄが設置棚１００Ａ〜１００Ｄに設置された際に用いる４つのＬＥＤ２４Ａ〜２４Ｄが設けられている。
【００７１】
図１８に示すように、装置設置カート１００のカート制御部１００１は、本体装置１ｉ（ｉ＝ａ〜ｄ）の通信回路１３０とデータを送受する通信回路１５０と、通信回路１５０を介して本体装置１ｉ（ｉ＝ａ〜ｄ）を識別するＩＤデータを抽出しメモリ１５２にＩＤデータを格納する書込み部１５１と、無線受信手段としての電波等による無線データを受信する無線受信部２５と、無線受信部２５が受信した無線データを信号処理データ形式の受信データに変換する受信回路２６と、受信回路２６からの受信データとメモリ１５２からのＩＤデータとを照合する照合部２７と、照合部２７の照合結果に基づき告知手段としてのＬＥＤ２４Ｉ（Ｉ＝Ａ〜Ｄ）を点灯させる制御回路１５３とを備えて構成される。
【００７２】
なお、ハンドピース２の構成は実施例２と同じである（図９及び図１０参照）。
【００７３】
このように構成された本実施例の作用について図１９及び図２０を用いて説明する。
【００７４】
まず、図１９に示すように、カート制御部１００１の制御回路１５３は、ステップＳ７１にて設置棚１００Ｉ（Ｉ＝Ａ〜Ｄ）に本体装置１ｉ（ｉ＝ａ〜ｄ）が設置／接続されているか判断し、本体装置１ｉ（ｉ＝ａ〜ｄ）が設置／接続されていると判断すると、ステップＳ７２にて本体装置１ｉ（ｉ＝ａ〜ｄ）の制御回路１４に対してメモリ１５に格納されているＩＤデータを要求する。
【００７５】
そして、ステップＳ７３にて本体装置１ｉ（ｉ＝ａ〜ｄ）の制御回路１４からのＩＤデータの受信を待ち、ＩＤデータを受信すると、ステップＳ７４にて受信したＩＤデータをメモリ１５２に格納する。なお、ステップＳ７１にて設置棚１００Ｉ（Ｉ＝Ａ〜Ｄ）に本体装置１ｉ（ｉ＝ａ〜ｄ）が設置／接続されていないと判断すると、ステップＳ７５にてメモリ１５２内のＩＤデータをクリアする。
【００７６】
次に、図２０に示すように、カート制御部１００１の制御回路１５３は、ステップＳ８１にてハンドピース２から無線でＩＤデータを受信すると、ステップＳ８２〜Ｓ８５にて受信したハンドピース２からＩＤデータがどの装置本体のＩＤデータなのかを照合部２７の照合結果に基づき判断し、ステップＳ８６〜Ｓ８９にてＩＤデータが適合する装置本体に対応したＬＥＤ２４Ｉ（Ｉ＝Ａ〜Ｄ）を点灯させる。
【００７７】
次に、ステップＳ９０にて受信回路２６からのＩＤデータの受信が完了するまで、ステップＳ８２〜Ｓ８９を繰り返し、ＩＤデータの受信が完了すると、ステップＳ９１にてＬＥＤ２４Ｉ（Ｉ＝Ａ〜Ｄ）のすべてを消灯し処理を終了する。
【００７８】
なお、ステップＳ８２〜Ｓ８５にてハンドピース２のコネクタ部２３が接続されていると判断すると、ステップＳ３７にてハンドピース２からＩＤデータに適合する装置本体がない場合にはステップＳ９１に進む。
【００７９】
ハンドピース２の作用は実施例２と同じであり、実施例４においても、実施例３と同様な効果を得ることができる。
【００８０】
本発明は、上述した実施例に限定されるものではなく、本発明の要旨を変えない範囲において、種々の変更、改変等が可能である。
【図面の簡単な説明】
【００８１】
【図１】本発明の実施例１に係る医療システムを構成する装置本体の外観を示す図
【図２】図１の装置本体に接続可能なハンドピースの外観を示す図
【図３】図１の装置本体及び図２のハンドピースの構成を示すブロック図
【図４】図２のハンドピースのコネクタ部の構成を示すブロック図
【図５】図３の装置本体の制御回路の処理の流れを示すフローチャート
【図６】図３のハンドピースの制御回路の処理の流れを示すフローチャート
【図７】図４のコネクタ部の作用を説明するフローチャート
【図８】本発明の実施例２に係る医療システムを構成する装置本体の外観を示す図
【図９】図８の装置本体に接続可能なハンドピースの外観を示す図
【図１０】図８の装置本体及び図９のハンドピースの構成を示すブロック図
【図１１】図１０の装置本体の制御回路の処理の流れを示すフローチャート
【図１２】図１０のハンドピースの制御回路の処理の流れを示すフローチャート
【図１３】本発明の実施例３に係る医療システムを構成する装置設置カートの外観を示す図
【図１４】図１３の装置設置カートの構成を示すブロック図
【図１５】図１４の装置設置カートの制御回路の作用を説明する第１のフローチャート
【図１６】図１４の装置設置カートの制御回路の作用を説明する第２のフローチャート
【図１７】本発明の実施例４に係る医療システムを構成する装置設置カートの外観を示す図
【図１８】図１７の装置設置カートの構成を示すブロック図
【図１９】図１８の装置設置カートの制御回路の作用を説明する第１のフローチャート
【図２０】図１８の装置設置カートの制御回路の作用を説明する第２のフローチャート
【符号の説明】
【００８２】
１…装置本体
２…ハンドピース
１２…ＩＤ送信スイッチ
１３…無線送信部
１４…制御回路
１５…メモリ
１６…送信回路
２０…内部回路
２３…コネクタ部
２４…ＬＥＤ
２５…無線受信部
２６…受信回路
２７…照合部
２８…メモリ
２９…制御回路
代理人    弁理士    伊藤  進
【図１】
2006255192.tif 000003
【図２】
2006255192.tif 000004
【図３】
2006255192.tif 000005
【図４】
2006255192.tif 000006
【図５】
2006255192.tif 000007
【図６】
2006255192.tif 000008
【図７】
2006255192.tif 000009
【図８】
2006255192.tif 000010
【図９】
2006255192.tif 000011
【図１０】
2006255192.tif 000012
【図１１】
2006255192.tif 000013
【図１２】
2006255192.tif 000014
【図１３】
2006255192.tif 000015
【図１４】
2006255192.tif 000016
【図１５】
2006255192.tif 000017
【図１６】
2006255192.tif 000018
【図１７】
2006255192.tif 000019
【図１８】
2006255192.tif 000020
【図１９】
2006255192.tif 000021
【図２０】
2006255192.tif 000022